【事件の表示】
　特許第３０７４１３６号「インクジェット記録用キャストコート紙」の請求項１に係る特許に対する特許異議の申立てについて、次のとおり決定する。
【結　論】
　特許第３０７４１３６号の請求項１に係る特許を維持する。
【理　由】
１．手続の経緯と本件発明について
　本件特許第３０７４１３６号は、平成７年１２月５日に出願され、平成１２年６月２日にその特許の設定登録がなされ、西川武則より特許異議の申立てがなされたものである。
　そして、本件の請求項１に係る発明（以下、「本件発明」という）は、特許明細書の記載からみて、その特許請求の範囲請求項１に記載された下記のとおりのものである。
「【請求項１】基紙の少なくとも一方の面に、顔料及び水性結着剤を含む塗工液を塗布し、塗工層が湿潤状態にあるうちに、該塗工層を加熱された鏡面仕上げの金属面に圧着してなるインクジェット記録用キャストコート紙において、顔料中にＢＥＴ比表面積が２００〜６００ｍ２／ｇの合成シリカが４０重量％以上含有されると共に、水性結着剤として、水性ウレタン樹脂とカゼインが重量比で０．１〜２０となるように含有されていることを特徴とするインクジェット記録用キャストコート紙。」
２．特許異議申立の理由の概要
　特許異議申立人西川武則は、
甲第１号証：特開昭６２−１５８０８４号公報
甲第２号証：特開平３−１６７３８６号公報
を提出して、
　本件発明は、甲第１〜２号証に記載された発明に基づいて当業者が容易に発明をすることができたものであり、特許法第２９条第２項の規定に違反して特許されたものであるから、特許を取消すべき旨主張している。
３．甲号各証等刊行物に記載される発明
〔甲第１号証〕
　甲第１号証（特開昭６２−１５８０８４号公報）には、
「（１）水性インクを用いて記録画像を形成するインクジェット記録媒体において、該記録媒体が支持体上に合成微粒子シリ力を主顔料とする少なくとも一層以上のインク受理層を有し、かつ加熱された鏡面に圧接し乾燥された記録面を有することを特徴とするインクジェット記録媒体。…
（５）合成微粒子シリ力のＢＥＴ法による比面積が１００ｍ２／ｇ以上である特許請求の範囲第１項…のいずれかに記載のインクジェット記録媒体。
（６）主顔料である合成微粒子シリ力の添加量が全顔料分１００重量部に対して８０重量部以上である特許請求の範囲第１項、…のいずれかに記載のインクジェット記録媒体。」（特許請求の範囲）、
「発明が解決しようとする問題点　本発明は上述したような光沢を付与するための後処理を必要とせず、光沢感を有し、しかも高いインク吸収性を有し、水性インクによる印字において高い色再現性と色濃度を有するインクジェット記録媒体、特に光沢感が要望されるフルカラーインクジェット記録媒体を提供することを目的としている。」（第３頁左上欄第１２〜１９行）、
「インク受理層に用いられる接着剤としては例えば…、カゼイン、…通常のスチレン−ブタジエン共重合体、…、ポリウレタン樹脂…が単独あるいは複合して用いられる。これらの接着剤のうち、接着力の点からはポリビニルアルコール及びその誘導体が好ましく、また光沢感の点からはカゼイン、大豆蛋白、及びラテックスが好ましく用いられる。」（第３頁左下欄第１１行〜同頁右下欄第１４行）、
「記録媒体表面を加熱された鏡面に圧接し乾燥成形する方法としては可塑湿潤状態にある塗布層を加熱ドラム面に圧接乾燥し離型させるキャスト仕上げ方法が用いられる。キャスト仕上げ方法としては例えば、１）湿潤塗布層を加熱した鏡面に直接圧接し乾燥成形するウエットキャスト法、２）湿潤塗布層を一旦乾燥した後再湿潤により塗布層を可塑化し加熱した鏡面に圧接し乾燥成形するリウエットキャスト法、３）湿潤塗布層をゲル状態に変え、加熱した鏡面に圧接し乾燥成形するゲル化キャスト法等の方法が知られているが、これらの方法のいずれを用いてもよく特に限定されるものではない。」（第４頁左上欄第１１行〜同頁右上欄第３行）と記載され、
実施例５として、
ＢＥＴ法比表面積３００ｍ２／ｇの合成微粒子シリカ１００重量部、水性結着剤ポリビニルアルコール６０重量部からなる塗工液を原紙に塗工乾燥して得た塗工紙の表面に、硝酸アンモニウムで溶解したカゼイン５％、スチレン−ブタジエン共重合体ラテックス５％を含有する溶液を塗布し、再湿潤状態で加熱したキャストドラムに加圧乾燥成形して記録紙を製造したことが示されている。
〔甲第２号証〕
　甲第２号証（特開平３−１６７３８６号公報）には、
「１．顔料および接着剤を主成分とするキャストコート紙用塗料において、該接着剤として、脂肪族共役ジオレフイン系モノマー、オレフイン系芳香族モノマー及び／又はモノオレフイン系モノマーを主成分とする合成ゴムラテックスに、水性ウレタン樹脂を併用することを特徴とするキャストコート紙用塗料組成物。
２．請求項１記載の組成物を塗工してなるキャストコート紙の製造方法。」（特許請求の範囲）、
「〔産業上の利用分野〕　本発明はキャストコート紙用塗料組成物に関し、特に優れた光沢面および印刷適性を有するキャストコート紙が製造可能な、キャスト紙用塗料組成物及びそれを用いたキャストコート紙の製造方法に関するものである。」（第１頁左下欄第１５〜末行）、
「〔発明が解決しようとする課題〕　本発明は、キャストコート紙の製造にあたり、ピンホール、フクレ及びドラムピック等の欠陥を発生せずに、高光沢で、均一なキャスト面を有するキャストコート紙を製造することが可能な、キャストコート紙用塗料組成物およびそれを用いたキャストコート紙の製造方法を提供するものである。
〔課題を解決するための手段〕　本発明は、顔料および接着剤を主成分とするキャストコート紙用塗料において、該接着剤として、水性ウレタン樹脂を、脂肪族共役ジオレフイン系モノマーを含む合成ゴムラテックス等と併用したキャストコート紙用塗料組成物を使用することにより、優れた表面光沢を有するコート層が得られ、ピンホールや、フクレの発生がなくなると同時に強い接着強度を付与することができるので、ドラムピックの発生もなく、高光沢で優れた印刷適性と耐摩耗性を有するキャストコート紙を製造することを可能としたものである。」（第２頁左上欄第５行〜同頁右上欄第３行）、
「本発明の水性ウレタン樹脂およびラテックスは、接着性を有する水溶性高分子、例えばカゼイン、…等を顔料１００重量部に対して、少なくとも５重量部以上、好ましくは５〜１０重量部併用することが有効である。」（第３頁右上欄第１４〜末行）と記載され、
実施例１として、水性ウレタン樹脂２部とカゼイン５部からなる水性結着剤（水性ウレタン樹脂／カゼインの重量比＝０．４）、及びスチレン−ブタジエン共重合体ラテックス１３部、カオリン５０部、炭酸カルシウム５０部を含有するキャストコート紙用塗料組成物を調製し、原紙に塗布乾燥した後、塗工層を再湿潤させて加熱鏡面仕上げ金属面に圧着してキャストコート紙を製造したこと、
該キャストコート紙の印刷前の白紙光沢は９２％であり、オフセット用油性インキ印刷後の印刷光沢は９７％であったことが示されている。
〔刊行物１〕
　当審の取消理由通知に於いて、甲第１〜２号証とともに提示された公知刊行物１（特開平７−２５１３６号公報）には、
「【請求項１】複数のノズルを有するオンデマンド型ヘッドを用いたインクジェット記録方法に使用するインクジェット記録用紙において、該インクジェット記録用紙が、基紙の一方の面に、ＢＥＴ比表面積２５０ｍ２／ｇ〜５００ｍ２／ｇの合成シリカを８０重量％以上含む顔料と、カゼイン及びスチレンブタジエンラバーを含む結着剤とからなる塗工液から記録層を形成し、且つ上記顔料と上記結着剤の重量比が顔料／結着剤の値で１．８〜２．４であり、上記塗工液の固形分塗工量が１５〜２５ｇ／ｍ２であって、前記記録層表面の十点平均粗さが０．５〜５μｍの範囲であることを特徴とするインクジェット記録用紙。」（特許請求の範囲）、
「【好ましい実施態様】次に好ましい実施態様を挙げて本発明を更に詳しく説明する。本発明にかかるインクジェット記録用紙は、水性結着剤であるカゼイン及びスチレンブタジエンラバーに、少なくとも合成シリカを含有する塗工層（記録層）を形成したものであり、スチレンブタジエンラバーとしては、モノマーの主成分としてスチレン及びブタジェンを使用するものであれば、第三成分を含むことが出来…更に合成シリカの条件として、ＢＥＴ比表面積が２５０〜５００ｍ２／ｇのものを選択して用いればよい。又、合成シリカと併用することが可能な他の顔料としては、例えば、カオリン…等が挙げられる。この際、塗工層中の顔料のうち合成シリカの含有率が８０重量％以上であることが好ましい、８０重量％未満であるとインクの吸収が塗工層表面の局所吸収となり、印字ドットの形状が真円から著しく離れるだけでなく、ドットの大きさも極端に小さくなってしまう。」（第９〜１０段落）、
「…本発明では更に塗工液中に必要に応じて顔料分散剤、保水剤、増粘剤、消泡剤、離型剤、着色剤、耐水化剤、湿潤剤、蛍光染料、紫外線吸収剤等を適宜配合することが出来る。」（第１３段落）、
「【発明の効果】以上説明した様に、本発明によれば、複数のノズルを有するオンデマンド型インクジェット記録方式の記録用紙として使用した場合にも、普通紙をベースにしたキャストコート用紙でありながら、インクの溢れ、滲みが発生せず、高濃度画像であり、且つ印字後のグロスの低下も極力抑制され、更にブロンズ現象のない高品質画像を形成することが出来るインクジェット記録用紙を提供することが出来る。」（第２９段落）と記載され、
実施例１のインクジェット記録用紙１調製例として、
ＢＥＴ比表面積３００ｍ２／ｇの合成シリカ８５重量部及び軽質炭酸カルシム１５重量部（顔料合計１００重量部）、
カゼイン２５重量部及びスチレンブタジエンラバー２５重量部（結着剤合計５０重量部）、（顔料／結着剤＝２．０）、
ステアリン酸カルシウム（離型剤）２重量部を均一に混合し、固形分濃度３０重量％の水性塗工液を調製し、コート原紙にロールコーターで塗工し、次いで、塗膜を蟻酸亜鉛の２重量％水溶液で凝固処理し、塗膜が湿潤状態にあるうちに１００℃に加熱した鏡面ドラムに圧着して乾燥し、インクジェット記録用紙を得たところ、該インクジェット記録用紙の記録層表面の１０点平均粗さは１．４８μｍであり、白紙光沢（印字前グロス）は７２％であったこと、インクジェット記録後の印字後グロスは４５％であったことが示されている。
５．対比・判断
　本件発明と、甲第１号証の実施例５に記載の発明とを対比するに、
後者の「再湿潤キャスト法」は、前者の「キャスト法」に包含される（本件特許明細書第２１段落参照）が、後者の「カゼイン」は、再湿潤時の溶液に含有されるが合成シリカ含有塗工液には含有されないので、
両者は、「基紙の少なくとも一方の面に、顔料及び水性結着剤を含む塗工液を塗布し、塗工層が湿潤状態にあるうちに、該塗工層を加熱された鏡面仕上げの金属面に圧着してなるインクジェット記録用キャストコート紙において、顔料中にＢＥＴ比表面積が２００〜６００ｍ２／ｇの合成シリカが４０重量％以上含有されるインクジェット記録用キャストコート紙。」で一致するが、
塗工液の水性結着剤について、前者が「水性ウレタン樹脂とカゼインをともに含有」、「水性ウレタン樹脂とカゼインの重量比０．１〜２０」を規定するのに対して、後者が「水性ウレタン樹脂」、「カゼイン」のいずれも含有せず、「水性ウレタン樹脂とカゼイン重量比」も規定せず、「ポリビニルアルコール」のみをを含有する点で相違する。
　相違点について検討する。
甲第２号証の実施例１には、キャストコート紙用塗工液の水性結着剤として、水性ウレタン樹脂とカゼインとを重量比０．４で併用することが、一応示されている。
　しかし、該塗工液は、油性インクを用いたオフセット印刷に好適なキャストコート紙の製造用であり、顔料として比表面積の大きな合成シリカは一切含有せず、光沢評価も油性インク印刷に係るものであり、インクジェット記録紙用とは別異のものと認められるので、その水性結着剤の組成を甲第１号証のインクジェット記録用キャストコート紙の塗工液に結びつけることはできない。
　刊行物１には、インクジェット記録用キャストコート紙の塗工液で、水性結着剤としてカゼインを含有し、かつ、顔料として比表面積の大きな合成シリカを含有するものが示されているが、「水性ウレタン樹脂とカゼインをともに含有」、「水性ウレタン樹脂とカゼインの重量比０．１〜２０」に関して何らの記載も示唆もない。
　そして、本件発明は、該規定を含む構成により、明細書（第８段落及び実施例欄等）記載の「水性インクを用いた記録時における水分による膨潤を抑えることができ、これによって画像部分の光沢度の低下が防止される」との甲号各証等引用文献には示されない顕著な効果を奏するものと認められる。
　したがって、本件発明は、甲第１〜２号証に記載された発明に基づいて当業者が容易に発明をすることができたものとはいえず、また、甲第１〜２号証、刊行物１に記載された発明に基づいて当業者が容易に発明をすることができたものともいえず、特許法第２９条第２項の規定により特許を受けることができないものとはいえない。
４．むすび
  したがって、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１４年４月２６日（２００２．４．２６）